(57)【特許請求の範囲】
【請求項１】
基地局を通じて通信相手先と通信を行う通信部と、
通話主題関連情報として使用可能な複数の情報を登録している情報登録部と、
上記情報登録部に登録されている複数の情報の中から一つの情報を読み出し、その情報を、通話主題関連情報として、通信相手先を指定した発呼と略々同時に通信部から送信させる制御部とを有し、
上記制御部は、上記発呼に対応して上記通信相手先から返信されて上記通信部が受信した返答情報を、新規な情報として上記情報登録部へ登録させる通信装置。
【請求項２】
上記基地局との接続を確立するために複数の通信装置が使用し、且つ送信可能な情報量に制限がある共通の通信チャンネルを用いて、上記通信部が通信相手先を指定した発呼を行う場合、上記制御部は、上記情報登録部から読み出した上記制限に応じた情報量の上記通話主題関連情報を、その発呼と略々同時に通信部から送信させる請求項１記載の通信装置。
【請求項３】
上記制御部は、通信相手先を指定した発呼の際、当該発呼に応じて確立された個別の通信チャンネルを用いて、呼び出し要求情報と略々同時に、上記通話主題関連情報を通信部から送信させる請求項１記載の通信装置。
【請求項４】
上記制御部は、上記情報登録部に登録されている複数の情報の中から、使用者による選択指示入力に応じた情報を読み出して上記通話主題関連情報とする請求項１記載の通信装置。
【請求項５】
上記制御部は、上記情報登録部に登録されている複数の情報の中で、予め使用者により選択された情報を、通話主題関連情報として上記発呼と略々同時に上記情報登録部から自動的に読み出す請求項１記載の通信装置。
【請求項６】
上記制御部は、上記発呼に対応して上記通信相手先から返信されてきた返答情報を、情報報知部を通じて、使用者が認識可能に報知させる請求項１記載の通信装置。
【請求項７】
上記制御部は、上記通話主題関連情報である上記一つの情報として、上記通信相手先への通話の目的及び／又は通話の重要度を表す情報を上記情報登録部から読み出す請求項１記載の通信装置。
【請求項８】
上記制御部は、上記情報登録部に登録されている複数の情報の中で、使用者による使用頻度順の複数の情報と、自装置が位置しているエリアに応じた複数の情報と、現在時刻に応じた複数の情報との何れかを、上記使用者により選択される候補とし、当該候補の中から選択された情報を、上記一つの情報として読み出す請求項４又は請求項５記載の通信装置。
【請求項９】
基地局を通じて通信相手先と通信を行う通信部と、
返答情報として使用可能な複数の情報を登録している情報登録部と、
着呼と略々同時に送信されてきた通話主題関連情報を上記通信部が受信した時、当該受信された通話主題関連情報を上記着呼と略々同時に使用者に認識可能に報知する情報報知部と、
上記通信部が着呼と略々同時に上記通話主題関連情報を受信した時、上記情報登録部に登録されている複数の情報の中から一つの情報を読み出し、その情報を返答情報として、上記通信部から通信相手先へ送信させるとともに、上記通信部が着呼と略々同時に受信した通話主題関連情報を、新規な情報として上記情報登録部へ登録する制御部と
を有する通信装置。
【請求項１０】
上記制御部は、上記基地局との接続を確立するために複数の通信装置が使用し、且つ送信可能な情報量に制限がある共通の通信チャンネルを介して、上記通信部が上記通信相手先から送信されてきた通話主題関連情報を着呼と略々同時に受信した場合、上記情報登録部から読み出した返答情報を上記通信部を通じて通信相手先へ送信させる請求項９記載の通信装置。
【請求項１１】
上記制御部は、通信相手先からの着呼に応じて確立された個別の通信チャンネルを介して、上記通信部が、呼び出し要求情報と略々同時に通話主題関連情報を受信した場合、上記情報登録部から読み出した返答情報を上記通信部を通じて通信相手先へ送信させる請求項９記載の通信装置。
【請求項１２】
上記制御部は、上記情報登録部に登録されている複数の情報の中から、使用者による選択指示入力に応じた情報を読み出して上記返答情報とする請求項９記載の通信装置。
【請求項１３】
上記制御部は、上記情報登録部に登録されている複数の情報の中で、予め使用者により選択された情報を、返答情報として上記着呼と略々同時に上記情報登録部から自動的に読み出す請求項９記載の通信装置。
【請求項１４】
上記制御部は、上記返答情報である上記一つの情報として、上記通信相手先への通話の目的及び／又は通話の重要度を表す情報を上記情報登録部から読み出す請求項９記載の通信装置。
【請求項１５】
上記制御部は、上記情報登録部に登録されている複数の情報の中で、使用者による使用頻度順の複数の情報と、自装置が位置しているエリアに応じた複数の情報と、現在時刻に応じた複数の情報との何れかを、上記使用者により選択される候補とし、当該候補の中から選択された情報を上記一つの情報として読み出す請求項１２又は請求項１３記載の通信装置。
【請求項１６】
基地局を通じて互いに通信可能な第１及び第２の少なくとも二つの通信装置を備え、
上記第１の通信装置は、上記第２の通信装置への発呼と略々同時に通話主題関連情報を当該第２の通信装置へ送信し、
上記第２の通信装置は、着呼と略々同時に受信した上記第１の通信装置からの上記通話主題関連情報を使用者が認識可能に報知すると共に、返答情報を上記第１の通信装置に宛てて送信し、
上記第１の通信装置は、上記第２の通信装置から送信されてきた返答情報を使用者が認識可能に報知すると共に、その返答情報を使用者が任意に使用可能な新規な通話主題関連情報として登録し、
上記第２の通信装置は、上記着呼と略々同時に受信した上記第１の通信装置からの上記通話主題関連情報を、使用者が任意に使用可能な新規な返答情報として登録する通信システム。
【請求項１７】
上記第１の通信装置は、上記基地局との接続を確立するために複数の通信装置が使用し、送受信可能な情報量に制限がある共通の通信チャンネルを用いて、上記第２の通信装置への発呼と略々同時に、上記制限に応じた量の通話主題関連情報を当該第２の通信装置へ送信する請求項１６記載の通信システム。
【請求項１８】
上記第１の通信装置は、上記第２の通信装置への発呼に応じて確立された個別の通信チャンネルを用いて、呼び出し要求情報と略々同時に、通話主題関連情報を送信する請求項１６記載の通信システム。
【請求項１９】
上記第１の通信装置は、上記第２の通信装置への通話の目的及び／又は通話の重要度を表す情報を、上記通話主題関連情報として送信する請求項１６記載の通信システム。
【請求項２０】
上記第２の通信装置は、上記第１の通信装置への返答の目的及び／又は返答の重要度を表す情報を、上記返答情報として上記第１の通信装置へ宛てて送信する請求項１６記載の通信システム。
【請求項２１】
上記第１の通信装置からの発呼に応じて上記第２の通信装置への着呼を生成する制御局を備え、
上記制御局は、上記第１の通信装置が発呼と略々同時に送信してきた上記通話主題関連情報を、上記第２の通信装置への着呼と略々同時に送信する請求項１６記載の通信システム。
【発明の詳細な説明】
【技術分野】
【０００１】
本発明は、携帯電話機等の携帯情報端末に好適な通信装置、及び、少なくとも２つの通信装置を備えた通信システムに関する。
【背景技術】
【０００２】
近年、携帯電話機は広く普及しており、誰もが常に携帯している状況にある。また、携帯電話機は、各ユーザ間のコミュニケーションに欠かせないものとなりつつあり、その使用頻度は益々高まる傾向にある。さらに、携帯電話機は、通話エリア内であれば何時いかなる場所でも通話が可能であるため、例えば緊急な要件を伝える場合などに非常に有用であり、各ユーザにとって無くてはならない重要な機器となっている。
【０００３】
ところで、着信拒否の設定を行ったり、電源をＯＦＦにでもしておかない限り、携帯電話機への着信は、何時でも何処でも起こり得るものである。
【０００４】
このように携帯電話機への着信があった場合、ユーザは、様々な要因を考慮して、その着信を受けるか（つまり電話に出るか）、その着信を保留するか、或いは、切るか（つまり電話に出ずに着信を切るか）などを判断することになる。なお、上記様々な要因とは、現在の時間帯が電話に出られる時間帯であるのか、ユーザの居る場所が電話に出られる場所であるのか、或いは、ユーザがおかれている現在の状況が電話に出られる状況であるのか、などである。
【０００５】
また、ユーザは、携帯電話機への着信が、誰からのものであるのか判断或いは推測することにより、その着信を受けるのか、保留するのか、或いは切るのかを決定する場合もある。すなわち例えば、上記時間帯や場所、状況の各要因が着信を受け難い状態であったとしても、携帯電話機への着信が重要な人物からのものであるような場合、ユーザは、その着信を受けようとすることになる。このため、ユーザは、着信時に得られる限られた情報を元に、その着信が誰からのものであるか判断或いは推測して、その着信を受けるのか、保留するのか、切るのかを決定している。なお、上記着信時に得られる情報とは、例えば、呼び出し要求とページングに応じて携帯電話機が内蔵ディスプレイ上に表示する情報などである。上記携帯電話機がディスプレイ上に表示する情報とは、例えば、相手先の電話番号、或いは、携帯電話機の内部メモリに登録されている名前等（つまり登録された名前の中から相手先電話番号に応じて読み出された名前等）、相手先の電話番号が非通知になされている場合の非通知指定メッセージなどである。
【０００６】
【特許文献１】特開平８−２２８２３６号公報
【特許文献２】特開平８−２７４８９５号公報
【特許文献３】特開平１０−３０４０４８号公報
【発明の開示】
【発明が解決しようとする課題】
【０００７】
しかしながら、上記着信時に得られる情報は、相手先の電話番号、登録されている名前等、非通知指定メッセージのみであり、情報量が非常に乏しい。したがって、ユーザは、その着信を受けるのか、保留するのか、或いは切るのかを、その情報のみから適切に決定することが困難である。
【０００８】
一方で、携帯電話機は、今後、益々普及し、またその使用頻度や重要度も更に高まると予想される。
【０００９】
このため今後、ユーザが、携帯電話機への着信を受けるのか、保留するのか、或いは切るのかを決定する際に、より適切且つ正確な判断を行えるようにするための何らかの対処が必要になると考えられる。
【００１０】
本発明は、このような課題に鑑みてなされたものであり、ユーザが、携帯電話機等の情報通信端末への着信を受けるのか、保留するのか、切るのかを決定する際に、より適切且つ正確な判断を行えるようにするための通信装置及び通信システムを提供することを目的とする。
【課題を解決するための手段】
【００１１】
本発明の通信装置は、基地局を通じて通信相手先と通信を行う通信部と、通話主題関連情報として使用可能な複数の情報を登録している情報登録部と、情報登録部に登録されている複数の情報の中から一つの情報を読み出し、その情報を、通話主題関連情報として、通信相手先を指定した発呼と略々同時に通信部から送信させる制御部とを有している。そして、制御部は、発呼に対応して通信相手先から返信されて通信部が受信した返答情報を、新規な情報として情報登録部へ登録させる。これにより、本発明の通信装置は、上述した課題を解決する。なお、通信部は、基地局との接続を確立するために複数の通信装置が使用し、送信可能な情報量に制限がある共通の通信チャンネルか、若しくは、発呼に応じて確立された個別の通信チャンネルを用いて、通話主題関連情報を送信する。
【００１２】
すなわち本発明の通信装置は、通信相手先から返信されてきた返答情報を、通話主題関連情報を取得するための情報取得部の情報登録部へ任意に登録（記録）可能となっているため、新規に通話主題関連情報や返答情報を作成する手間を省くことが可能となっている。
【００１３】
また、本発明の通信装置は、基地局を通じて通信相手先と通信を行う通信部と、返答情報として使用可能な複数の情報を登録している情報登録部と、着呼と略々同時に送信されてきた通話主題関連情報を通信部が受信した時、当該受信された通話主題関連情報を上記着呼と略々同時に使用者に認識可能に報知する情報報知部と、通信部が着呼と略々同時に通話主題関連情報を受信した時、情報登録部に登録されている複数の情報の中から一つの情報を読み出し、その情報を返答情報として、通信部から通信相手先へ送信させるとともに、通信部が着呼と略々同時に受信した通話主題関連情報を、新規な情報として情報登録部へ登録する制御部とを有している。これにより、本発明の通信装置は、上述した課題を解決する。なお、通信部は、基地局との接続を確立するために複数の通信装置が使用し、送信可能な情報量に制限がある共通の通信チャンネルを介して送信されてきた通話主題関連情報を着呼と略々同時に受信するか、若しくは、通信相手先からの着呼に応じて確立された個別の通信チャンネルを介して、呼び出し要求情報と略々同時に通話主題関連情報を受信する。
【００１４】
すなわち本発明の通信装置は、通信相手先から送信されてきた通話主題関連情報を、返答情報を取得するための情報取得部の情報登録部へ任意に登録（記録）可能となっているため、新規に返答情報や通話主題関連情報を作成する手間を省くことが可能となっている。
【００１５】
また、本発明の通信システムは、基地局を通じて互いに通信可能な第１及び第２の少なくとも二つの通信装置を備えている。そして、第１の通信装置は、第２の通信装置への発呼と略々同時に通話主題関連情報を当該第２の通信装置へ送信する。一方、第２の通信装置は、着呼と略々同時に受信した上記第１の通信装置からの上記通話主題関連情報を使用者が認識可能に報知すると共に、返答情報を上記第１の通信装置に宛てて送信する。さらに、第１の通信装置は、第２の通信装置から送信されてきた返答情報を使用者が認識可能に報知すると共に、その返答情報を使用者が任意に使用可能な新規な通話主題関連情報として登録し、第２の通信装置は、着呼と略々同時に受信した第１の通信装置からの通話主題関連情報を、使用者が任意に使用可能な新規な返答情報として登録する。これにより、本発明の通信装置は、上述した課題を解決する。なお、第１の通信装置は、基地局との接続を確立するために複数の通信装置が使用し、送受信可能な情報量に制限がある共通の通信チャンネルを用いて、第２の通信装置への発呼と略々同時に、その制限に応じた量の通話主題関連情報を取得して当該第２の通信装置へ送信するか、若しくは、第２の通信装置への発呼に応じて確立された個別の通信チャンネルを用いて、呼び出し要求情報と略々同時に、通話主題関連情報を送信する。
【発明の効果】
【００１６】
本発明の通信装置は、通信相手先を指定した発呼と略々同時に通話主題関連情報を送信することにより、通信相手先に対して通話の目的や重要度など知らせることができると共に、発呼に対応して通信相手先から返信されきた返答情報を、情報登録部へ登録可能となされているため、新規に通話主題関連情報や返答情報を作成する手間を省くことが可能となっている。
【００１７】
また、本発明の通信装置は、着呼と略々同時に送信されてきた通話主題関連情報を受信して直ちに報知することにより、使用者に対して通話の目的や重要度など知らせることができると共に、着呼と同時に通信相手先から送られてきた通話主題関連情報を、情報登録部へ登録可能となされているため、新規に返答情報や通話主題関連情報を作成する手間を省くことが可能となっている。
【００１８】
さらに、本発明の通信システムによれば、第１の通信装置が第２の通信装置への発呼と略々同時に通話主題関連情報を送信し、第２の通信装置が第１の通信装置からの着呼と略々同時に受信した通話主題関連情報を使用者が認識可能に報知することにより、第２の通信装置の使用者は、その通話の目的や重要度などを適切且つ正確に判断可能となり、その着信を受けるのか、保留するのか、切るのかを、より適切且つ正確に判断できるようになると共に、第１の通信装置では、発呼に対応して第２の通信装置から返信されきた返答情報を、情報登録部へ登録可能となされているため、新規に通話主題関連情報や返答情報を作成する手間を省くことが可能であり、また、第２の通信装置では、着呼と同時に第１の通信装置から送られてきた通話主題関連情報を、情報登録部へ登録可能となされているため、新規に返答情報や通話関連主題情報を作成する手間を省くことが可能となっている。
【発明を実施するための最良の形態】
【００１９】
以下、本発明の好ましい実施の形態について、図面を参照しながら説明する。
【００２０】
本実施の形態は、本発明の通信装置及び通信システムの一例として、図１に示す携帯電話機とその通信システムを挙げている。
【００２１】
この図１は、一例として、２台の携帯電話機１０Ａと１０Ｂが、基地局２Ａ、制御局１、基地局２Ｂを介して接続される場合の通信システムの概略構成を示している。なお、この例の通信システムは、携帯電話の通信方式としていわゆるＷ−ＣＤＭＡ（Wideband Code Division Multiple Access）方式を採用しているとする。もちろん、本発明はＷ−ＣＤＭＡ方式に限定されず、ＣＤＭＡ方式等の他の通信方式にも適用できる。また、上記携帯電話機１０Ａ，１０Ｂは、通話機能だけでなく、電子メールやその他の各種のデータ，プログラム等の送受信機能も備えているとする。
【００２２】
携帯電話機１０Ａ，１０Ｂは、一般的な携帯電話機と同様に、少なくとも、ディスプレイ部４１と操作入力部４４、アンテナ４３等を備えている。
【００２３】
ディスプレイ部４１は、ＬＣＤ（Liquid Crystal Display）或いはＥＬ（ElectorLuminescence）パネル等からなり、少なくとも文字や数字、記号、アイコン，カーソル等の他、望ましくはカラー動画像を表示可能なものである。
【００２４】
操作入力部４４は、少なくとも、「０」から「９」までの数字の入力や、アルファベット文字の入力、仮名文字の入力、記号の入力、仮名漢字変換の指示入力、発信や受信の指示入力、電源ＯＮ／ＯＦＦの指示入力等のために使用される複数のキー４７を備えている。また、操作入力部４４は、ディスプレイ部４１上に表示されるカーソルの操作や画面のスクロール操作などに用いられるダイアル（ジョグダイアル）４６も備えている。この操作入力部４４を操作することにより、ユーザは、一例として、電話番号の入力やその登録、電子メールの入力、電子メールアドレスの入力やその登録、住所録の入力やその登録、後述する簡易情報の作成或いは選択の操作入力、ディスプレイ部４１の画面上に表示されるカーソルの移動など、様々な入力操作を行うことができる。
【００２５】
アンテナ４３は、例えばダイバーシチ方式のアンテナであり、基地局２との間で無線による信号の送受信を行うためのものである。なお、当該アンテナ４３は、パッチアンテナ、マイクロストリップアンテナ、逆Ｆアンテナ、ダイポールアンテナ等でもあっても良い。
【００２６】
なお、当該携帯電話機１０Ａ，１０Ｂの内部回路構成の詳細な説明は後述する。以下の説明では、携帯電話機１０Ａが発呼側の携帯電話機（以下、発信携帯端末１０Ａと表記する）であり、携帯電話機１０Ｂが着呼側の携帯電話機（以下、着信携帯端末１０Ｂと表記する）であるとする。また、以下の説明において、発信携帯端末１０Ａ、着信携帯端末１０Ｂの何れも特定しない場合は単に携帯端末１０と表記する。
【００２７】
基地局２Ａ，２Ｂは、Ｗ−ＣＤＭＡ方式に対応した無線基地局装置(ＢＴＳ：Base Transceiver Station）である。基地局２Ａ，２Ｂは、それぞれ、アンテナ３、図示しない屋外受信増幅器，屋外受信増幅器監視制御装置，送信増幅部，無線変復調部等を備えている。図１の場合、基地局２Ａは、発信携帯端末１０Ａとの間で無線通信を行い、基地局２Ｂは、着信携帯端末１０Ｂとの間で無線通信を行う。なお、以下の説明において、基地局２Ａ，２Ｂの何れも特定しない場合は単に基地局２と表記する。
【００２８】
制御局１は、Ｗ−ＣＤＭＡ方式に対応した無線ネットワーク制御装置(ＲＮＣ：Radio Network Controller）であり、制御信号処理機能、Ｏ＆Ｍ（Operationand Maintenance）機能、共通チャネル多重分離機能、ＡＴＭ(Asynchronous Transfer Mode）スイッチング機能及びダイバーシチハンドオーバー機能等を有し、無線回線の回線接続制御やハンドオーバー制御等を行う。また、制御局１は、加入者階梯交換機、マルチメディア信号処理装置（ＭＰＥ：Multimedia signal Processing Equipment）、無線基地局装置（基地局）と接続されている。なお、図１は、マルチメディア信号処理装置、加入者階梯交換機等の図示を省略している。この制御局１は、無線回線の回線接続制御やハンドオーバー制御等を行う。
【００２９】
［上りリンク及び下りリンクの接続］   図１に示す通信システムにおいて、Ｗ−ＣＤＭＡ方式での上りリンクの接続の際、発信携帯端末１０Ａは、共通チャネルを用い、基地局２Ａに接続要求情報を送信する。基地局２Ａは、その接続要求情報を制御局１に送信する。この接続要求情報を受け取った制御局１は、発信携帯端末１０Ａとの間に制御コネクションを確立させた後、当該発信携帯端末１０Ａに個別チャネルを割り当てる。この個別チャネルの割り当ての情報は、共通チャネルを用いて発信携帯端末１０Ａに送られる。上りリンクの接続は、この個別チャネルの割り当ての完了により確立する。そして、発信携帯端末１０Ａは、上記個別チャネルを用いて、通話相手先の着信携帯端末１０Ｂの呼び出し要求情報を、基地局２Ａを介して制御局１へ送信する。
【００３０】
上記発信携帯端末１０Ａからの呼び出し要求情報を受け取ると、制御局１は、下りリンクの接続のために、共通チャネルを用い、着信携帯端末１０Ｂの一斉呼び出しを行う。上記着信携帯端末１０Ｂは、上記一斉呼び出しを受けると、基地局２Ｂを介して制御局１に対して応答を返す。この応答を受け取った制御局１は、着信携帯端末１０Ｂとの間の制御コネクションを確立させた後、当該着信携帯端末１０Ｂに個別チャネルを割り当てる。この個別チャネルの割り当て情報は、共通チャネルを用いて着信携帯端末１０Ｂへ送られる。下りリンクの接続は、当該個別チャネルの割り当ての完了により確立する。そして、制御局１は、上記個別チャネルを用い、上記発信携帯端末１０Ａから発呼がなされていることを知らせるための呼び出し情報を、基地局２Ｂを介して着信携帯端末１０Ｂへ送信する。着信携帯端末１０Ｂは、上記呼び出し情報を受け取る（着呼を受ける）と、内蔵スピーカにより着信音を鳴らす。つまり、上記呼び出し情報は、着信携帯端末１０Ｂに着信音を鳴らさせるための情報となっている。なお、着信携帯端末１０Ｂは、上記着信音と同時若しくはそれに代えて、内蔵バイブレータを振動させる場合もあるが、以下の説明では着信音を鳴らす場合のみを例に挙げている。
【００３１】
上記上りリンクと下りリンクの接続が確立した後、発信携帯端末１０Ａと着信携帯端末１０Ｂは、互いに通話可能な状態となる。
【００３２】
［簡易情報の説明］   ここで、発信携帯端末１０Ａは、発呼のための上りリンクの接続の際に、少なくとも以下に説明する簡易情報を作成或いは選択して、その簡易情報を発呼と略々同時に制御局１へ送信する機能を備えている。また、着信携帯端末１０Ｂは、少なくとも、着呼と略々同時に送信されてきた簡易情報をユーザに報知し、さらに、必要に応じて簡易情報を作成或いは選択して返信する機能を備えている。そして、制御局１は、上記発信携帯端末１０Ａが送信した簡易情報を着信携帯端末１０Ｂへ転送し、上記着信携帯端末１０Ｂが必要に応じて返信した簡易情報を発信携帯端末１０Ａへ転送する機能を備えている。
【００３３】
上記簡易情報とは、一方の携帯端末１０のユーザが、他方（通話相手先）の携帯端末１０のユーザに対して、通話の目的や通話の意思、通話内容の重要度等を知らせるために用いられる情報であり、例えば、文字や記号等のメッセージ、画像、音等の情報である。また、当該簡易情報は、ユーザが任意に生成したり、複数の異なる簡易情報の中から任意に選択可能な情報である。さらに、簡易情報は、通話のための発呼及び着呼と略々同時に送受信される情報であり、発呼及び着呼に関わらずに送受信される電子メールやその他のデータとは異なるものである。
【００３４】
上記簡易情報としての文字のメッセージは、「危篤」、「緊急」、「こんにちは」、「おはよう」、「いまは電話にでられない」、「後で連絡する」などを挙げることができる。なお、これら文字のメッセージは、サブジェクトと呼ぶこともできる。
【００３５】
上記「危篤」のメッセージは、例えば、発信携帯端末１０Ａのユーザが、ある人の危篤状態を電話で着信携帯端末１０Ｂのユーザへ知らせようとするときなどに用いられる。上記「緊急」のメッセージは、例えば、発信携帯端末１０Ａのユーザが、何らかの緊急な要件を電話で着信携帯端末１０Ｂのユーザへ知らせようとするときなどに用いられる。また、これら「危篤」や「緊急」のメッセージは、それら単語そのものの意味が示す通り、重要度が高いことを表している。
【００３６】
「こんにちは」、「おはよう」のメッセージは、例えば、発信携帯端末１０Ａのユーザが、挨拶程度の電話を着信携帯端末１０Ｂのユーザと行いたいときなどに用いられる。これら「こんにちは」、「おはよう」のメッセージは、例えば、発信携帯端末１０Ａからの着呼を受けた着信携帯端末１０Ｂのユーザが、その着信携帯端末１０Ｂのユーザに対して挨拶を返すときなどに用いられることもある。また、これら「こんにちは」、「おはよう」のメッセージは、その単語そのものの意味を考えれば判るように、上記「危篤」や「緊急」よりも重要度は低いことになる。
【００３７】
一方、「いまは電話にでられない」や「後で連絡する」のメッセージは、発信携帯端末１０Ａからの着呼を受けた着信携帯端末１０Ｂのユーザが、通話できない状態であることを、その発信携帯端末１０Ａのユーザに知らせようとするときなどに用いられる。
【００３８】
簡易情報のメッセージとしての記号は、例えば、緊急で重要度が高いことを表すものとして「！」の記号や、重要度が低いことを表すものとして「？」の記号などが考えられる。また、重要度を、ある記号、例えば星印（☆）の記号の数により表現するようにしても良い。他に、簡易情報のメッセージとしての記号は、例えば、音楽に関する通話を行うときの音符（♪）の記号、彼氏や彼女の話題に関する通話を行うときの「♂」，「♀」の男（雄），女（雌）を表す記号、お金に関する通話を行うときの「￥＄」の通貨を表す記号なども考えられる。
【００３９】
さらに、簡易情報としての画像は、一例として、ユーザの顔写真の画像やユーザの居る場所の画像、通話の内容に関連した場所の画像等が考えられる。簡易情報として画像を用いた場合の重要度は、例えば怒った顔の画像が重要度「大」、笑った顔の画像が重要度「小」のようにすることができる。
【００４０】
また、簡易情報としての音は、一例として、文字メッセージと同様の「危篤」、「緊急」、「こんにちは」、「おはよう」、「いまは電話にでられない」、「後で連絡する」などを発音した音声、人に注意を喚起するような警報音、人の心を和ませる音楽や環境音などが考えられる。
【００４１】
なお、簡易情報は、上記文字や記号のメッセージ、画像、音の情報の何れか一つであっても、或いは、それらを任意に組み合わせたものであっても良い。上記「危篤」や「緊急」、「！」、顔画像等の簡易情報は一例であり、本発明はそれらに限定されるものではない。
【００４２】
［簡易情報の生成或いは選択］   上述の発呼や着呼時に送受信される簡易情報は、携帯端末１０のユーザが、例えば前記操作入力部４４上のキー４７やダイアル４６等を操作することで作成したもの、或いは、携帯端末１０の内部メモリ（例えば後述する記録部２７）等に予め用意されている複数の簡易情報の中から任意に選択したものの何れでも良い。
【００４３】
例えば文字メッセージの簡易情報の作成がなされる場合、携帯端末１０は、ディスプレイ部４１の画面上に、簡易情報の新規作成用画面を表示する。そして、この状態で、ユーザにより操作入力部４４が操作されてアルファベット文字や仮名文字、数字等が入力され、さらに必要に応じて仮名漢字変換の指示入力が行われると、携帯端末１０は、その入力操作に応じた簡易情報を生成する。
【００４４】
また、上記予め用意された簡易情報とは、ユーザが予め作成して登録しておいた情報、或いは、当該携帯端末１０の製造或いは出荷時に登録されている情報、簡易情報の提供サービスを行っているインターネット上のサイトから取得した情報、携帯端末１０に設けられている外部入力端子から入力した情報などである。なお、外部入力端子は、外部メモリ用のメモリスロットであっても良い。この場合、上記予め用意された簡易情報は、外部メモリに記憶されており、その外部メモリから上記メモリスロットを介して携帯端末１０内に読み込まれることになる。
【００４５】
図２には、上記予め用意された複数の簡易情報の中から、ユーザが所望の簡易情報を選択する場合のユーザインターフェイスの一例を示す。なお、この図２の例は、簡易情報として文字メッセージを挙げている。
【００４６】
この図２の例において、携帯端末１０は、ディスプレイ部４１の画面上に、複数の簡易情報の候補を表示する。同時に、携帯端末１０は、画面上にカーソル４２も表示する。また、当該携帯端末１０は、例えば前記操作入力部４４上に設けられている所定のキー４７やジョグダイアル４６等の操作に応じて、上記カーソル４２を、図中矢印４５で示す上下方向に移動させる。さらに携帯端末１０は、上記カーソル４２により指示されている簡易情報を、例えば反転表示、或いは他の簡易情報とは異なる色に表示させる。これにより、ユーザは、そのカーソル４２上の簡易情報が選択可能であることを知ることができる。そして、ユーザが操作入力部４４を操作して、カーソル４２を所望の簡易情報の上に移動させ、その後、その所望の簡易情報の選択指示を行うと、携帯端末１０は、その選択指示された簡易情報を、相手方の携帯端末へ送信する簡易情報として決定する。
【００４７】
なお、図２の画面上に表示される簡易情報の候補は、追加、削除、変更、候補の並び順の変更など、ユーザにより任意に編集可能である。また、ディスプレイ部４１の画面上に表示する簡易情報の候補の並び順は、例えばユーザの選択頻度（使用頻度）に応じて自動的に変更しても良い。この場合、例えば選択頻度が高い簡易情報を並び順で上にすれば、ユーザは、次回の選択時にその簡易情報を容易に選択できることになる。また、画面上に表示する簡易情報の候補は、例えば携帯端末１０が位置している通話エリア（場所、住所など）や、現在時刻に応じたものとしても良い。携帯端末１０が例えば劇場に近い場所に位置している場合の上記簡易情報の候補は、例えば「開演時間が近い」や「待ち合わせ時間変更」などのメッセージが考えられる。また、上記ディスプレイ部４１の画面上に表示する項目の一つとして、例えば「新規作成」の項目を設けるようにしても良い。この「新規作成」の項目がユーザにより選択された場合、携帯端末１０は、ディスプレイ部４１上に簡易情報の新規作成用の画面を表示し、ユーザによる簡易情報の作成を可能とする。もちろん、これは一例であり、図２の画面表示を行う前に簡易情報の新規作成用の画面を表示することもできるし、図２の簡易情報の候補の中から何れの候補も選択されないときに新規作成用の画面を表示するようにしても良い。さらに、画面上に表示される各簡易情報の候補は、それら各簡易情報を象徴するアイコンなどの形態で表示しても良い。
【００４８】
その他、所望の通話相手先へ送信した簡易情報や、通話相手先から送られてきた簡易情報は、内部メモリ等にそのまま新規に登録することも可能であり、また、通話相手先の携帯端末の電話番号や電子メールアドレス、相手先ユーザの名前や住所、会社名、グループ名と対応させて登録することも可能である。このように、送受信された簡易情報を登録可能にすることで、ユーザは、その簡易情報を新たに作成する必要が無くなる。
【００４９】
［上りリンク接続時の簡易情報の送信］   上記発信携帯端末１０Ａは、上述のように作成或いは選択された簡易情報を、上りリンクの接続を要求する時に共通チャネルを用いて制御局１へ送るか、若しくは、上りリンクの接続確立後に個別チャネルを用いて制御局１へ送信する。
【００５０】
ここで、当該上りリンクの接続時において、当該簡易情報の送信に用いられる共通チャネルは、一例としてランダムアクセスチャネル（ＲＡＣＨ：Random Access Channel）を挙げることができる。このＲＡＣＨは、上り方向の共通チャネルであって、制御情報及びユーザデータの送信に使用されるチャネルである。発信携帯端末１０Ａは、当該ＲＡＣＨ内のユーザデータの一つとして上記簡易情報を制御局１へ送信する。
【００５１】
一方、当該上りリンク接続時の個別チャネルは、リンクの接続確立後に、発信携帯端末１０Ａに個別に割り当てられる双方向チャネルであり、上記呼び出し要求情報の送信、通話やユーザデータの送受信に用いられるチャネルである。この個別チャネルを用いて簡易情報を送信する場合、発信携帯端末１０Ａは、上記呼び出し要求情報と略々同時にその簡易情報を制御局１へ送る。より具体的に説明すると、発信携帯端末１０Ａは、上りリンクの接続が確立した後の上記呼び出し要求情報を送信する前か、若しくは、呼び出し要求情報と同時に、若しくは、呼び出し要求情報の送信後直ちに、上記簡易情報を制御局１へ送信する。なお通信方式として、回線交換方式又はパケット通信方式等が用いられる。
【００５２】
［下りリンク接続時の簡易情報の送信及び受信］   このように発信携帯端末１０Ａから送信された簡易情報を受け取った制御局１は、その簡易情報を、下りリンク接続の呼び出し時の共通チャネルを用いて着信携帯端末１０Ｂへ送信するか、若しくは、下りリンクの接続確立後に個別チャネルを用いて着信携帯端末１０Ｂへ送る。
【００５３】
当該下りリンクの接続時において、簡易情報の送信に用いる共通チャネルは、一例としてページングチャネル（ＰＣＨ：Paging Channel）、若しくは、フォワードアクセスチャネル（ＦＡＣＨ：Forward Access Channel）を挙げることができる。上記ＰＣＨは、下り方向の共通チャネルであって、ページング信号の送信に使用されるチャネルである。上記ＦＡＣＨは、下り方向の共通チャネルであって、制御情報及びユーザデータの送信に使用されるチャネルである。なお、Ｗ−ＣＤＭＡ方式における上記フレームは、データ符号化／復号化処理の最小単位である。これに対して、ＰＣＨは、複数の基地局からの一斉呼び出しのページング信号の送信用チャネルであるため、送信可能なデータ量に制限がある。このため、通信システムがＰＣＨを用いて簡易情報を送信するようになされている場合、携帯端末１０は、当該通信システムに負荷がかからないデータ量の簡易情報を送信するものとなされる。具体的に説明すると、携帯端末１０は、ユーザが簡易情報を生成する際に、上記データ量の制限を越える簡易情報の作成を許可しない機能を備える。また、携帯端末１０は、ユーザが選択する際の選択候補の簡易情報として、上記データ量の制限を越えない情報のみを用意する。つまりこの場合、上記ディスプレイ部４１の画面上に表示される簡易情報の候補は、上記データ量の制限を越えないもののみとなされる。
【００５４】
一方、当該下りリンク接続時の個別チャネルは、リンクの接続確立後に、着信携帯端末１０Ｂに個別に割り当てられる双方向チャネルであり、上記呼び出し情報の送信、通話やユーザデータの送受信に用いられるチャネルである。この個別チャンネルは、データ量が多い簡易情報も送信可能となる。当該個別チャネルを用いて簡易情報を送信する場合、制御局１は、上記簡易情報を、上記呼び出し情報と略々同時に着信携帯端末１０Ｂへ送る。より具体的に説明すると、制御局１は、下りリンクの接続が確立した後の上記呼び出し情報を送信する前か、若しくは、呼び出し情報と同時に、若しくは、呼び出し要求情報の送信後直ちに、上記簡易情報を着信携帯端末１０Ｂへ送信する。なお、通信方式として、回線交換方式又はパケット通信方式等が用いられる。
【００５５】
なお、上記下りリンクの接続時において、制御局１が、呼び出し情報と簡易情報を略々同時に着信携帯端末１０Ｂへ送信することにしているのは、電話をかけてきた携帯端末と簡易情報を送信してきた携帯端末が同一の発信携帯端末１０Ａであることを、着信携帯端末１０Ｂのユーザに認識させるためである。言い換えると、呼び出し情報と簡易情報が着信携帯端末１０Ｂへ到着する時間に大きなずれがあると、着信携帯端末１０Ｂのユーザは、電話をかけてきた携帯端末と簡易情報を送信してきた携帯端末が別の携帯端末であると誤認したり、電話の着信と簡易情報との関連を正しく認識できなくなる虞がある。このため、制御局１は、呼び出し情報と簡易情報を略々同時に送信することにしている。
【００５６】
上記制御局１が送信してきた簡易情報を受信した着信携帯端末１０Ｂは、上記呼び出し情報に応じて着信音を鳴らすのと略々同時に、その簡易情報をユーザ（着信携帯端末１０Ｂのユーザ）に報知する。つまり、簡易情報が文字や記号のメッセージ、画像の情報である場合、着信携帯端末１０Ｂは、それら文字や記号、画像を、ディスプレイ部４１上に表示する。また、簡易情報が音の情報である場合、着信携帯端末１０Ｂは、その音を内蔵スピーカから放音する。
【００５７】
当該着信携帯端末１０Ｂのユーザは、上記ディスプレイ部４１上に表示された内容や、内蔵スピーカから放音された音により、上記発信携帯端末１０Ａのユーザが、どのような目的で、如何なる重要度の通話のために電話をかけてきたのかを、着呼と略々同時に知ることができることになる。
【００５８】
したがって、この着信携帯端末１０Ｂのユーザは、その着信を受ける（電話に出る）のか、或いは保留するのか、或いは切る（電話に出ずに切る）のかの判断を、適切且つ正確に行えることになる。例えば、上記簡易情報が「危篤」のメッセージであるような場合、着信携帯端末１０Ｂのユーザは、ディスプレイ部４１上に表示された「危篤」のメッセージを見ることで、その着信が緊急且つ非常に重要な内容を伝えるためのものであることを認識でき、例え電話に出にくい状況にあったとしても、その着信を受けるべきであると適切な判断ができることになる。また、一例として、上記簡易情報が「こんにちは」のメッセージであるような場合、着信携帯端末１０Ｂのユーザは、ディスプレイ部４１上に表示された「こんにちは」のメッセージを見ることで、その着信が緊急を要せず且つ重要度も低い通話に関するものであることを認識でき、例えば電話に出にくい状況にあったときにはその着信を保留したり切ったりしても、さほど問題がないと判断できることになる。上記ディスプレイ部４１上には、上記簡易情報のメッセージ等と共に、発信相手先の電話番号やアドレス帳に登録されている名前などを表示することももちろん可能である。
【００５９】
なお、上記上りリンクや下りリンクの接続時において、上記簡易情報の送信に用いるチャネルを、共通チャネルとするのか或いは個別チャネルとするのかは、図１の通信システムの設計事項であり、当該通信システムを管理する管理者やこの通信システムを利用する利用者の要求、或いは、簡易情報の送信可能容量、簡易情報の送信に伴う処理量などに応じて決定すれば良い。また、簡易情報を送信するチャネルは、共通チャネルと個別チャネルの何れか一方のみとしても良く、或いは、トラフィック等に応じて適宜変更可能としても良い。
【００６０】
［簡易情報の返信］   以上のようにして、簡易情報を受信した着信携帯端末１０Ｂのユーザは、この簡易情報を元に、上述のように着信を受けるか、或いは保留するのか、切るのかの判断を行うと共に、必要に応じて、自ら生成或いは選択した簡易情報を発信携帯端末１０Ａに対して返信するか否かの判断を行う。なお、着信携帯端末１０Ｂは、着呼の際に発信携帯端末１０Ａから簡易情報が送られて来ない場合であっても、発信携帯端末１０Ａに対して簡易情報を返信可能となされている。また、着信携帯端末１０Ｂは、予め作成或いは選択しておいた簡易情報をメモリ等に格納しておき、ユーザから指示入力がなされたとき、又は、着呼に応じて自動的に、その簡易情報を読み出して発信携帯端末１０Ａへ送ることもできる。
【００６１】
ここで、簡易情報の返信を行う場合、着信携帯端末１０Ｂは、既に接続が確立している下りリンクの個別チャンネルを用いて、前述同様にして作成或いは選択された簡易情報を制御局１へ送る。
【００６２】
このように着信携帯端末１０Ｂから送信された簡易情報を受け取った制御局１は、その簡易情報を、既に接続が確立している上りリンクの個別チャンネルを用いて、発信携帯端末１０Ａへ送信する。
【００６３】
上記着信携帯端末１０Ｂから返信されてきた簡易情報を受信した発信携帯端末１０Ａは、その簡易情報をユーザ（当該発信携帯端末１０Ａのユーザ）に報知する。つまり、簡易情報が文字や記号のメッセージ、画像の情報である場合、発信携帯端末１０Ａは、それら文字や記号、画像を、ディスプレイ部４１上に表示する。また、簡易情報が音の情報である場合、発信携帯端末１０Ａは、その音を内蔵スピーカから放音する。
【００６４】
当該発信携帯端末１０Ａのユーザは、上記ディスプレイ部４１上に表示された内容や、内蔵スピーカから放音された音により、上記着信携帯端末１０Ｂのユーザが、どのような簡易情報を返信してきたのかを知ることができることになる。
【００６５】
言い換えると、この発信携帯端末１０Ａのユーザは、着信携帯端末１０Ｂのユーザが通話の意思を持っているのか、或いは、どのような通話を望んでいるのかを、知ることができる。例えば、上記返信されてきた簡易情報が「こんにちは」や「おはよう」のメッセージである場合、当該発信携帯端末１０Ａのユーザは、ディスプレイ部４１上に表示されたそれらのメッセージを見ることで、着信携帯端末１０Ｂのユーザが挨拶を返してきたことを知ることができ、その後に通話できる可能性が高いことを認識できるようになる。また例えば、上記返信されてきた簡易情報が「いまは電話にでられない」のメッセージである場合、当該発信携帯端末１０Ａのユーザは、ディスプレイ部４１上に表示されたそれらのメッセージを見ることで、着信携帯端末１０Ｂのユーザが電話に出られない状態であることを知ることができる。また例えば、上記返信されてきた簡易情報が「後で連絡する」のメッセージである場合、当該発信携帯端末１０Ａのユーザは、ディスプレイ部４１上のメッセージを見ることで、着信携帯端末１０Ｂのユーザが電話に出られない状態であることを認識でき、且つ、後から電話をかけてくれることを知ることができる。
【００６６】
［簡易情報のデータ構成例］   次に、一例として、発信携帯端末１０Ａが、個別チャネルを用い、呼び出し要求情報と略々同時に、簡易情報を制御局１へ送信する場合のデータ構成例を、図３と図４を用いて説明する。
【００６７】
図３には、発信携帯端末１０Ａが、呼び出し要求情報と簡易情報を時間多重して制御局１へ送信する場合のデータ構成例を示している。
【００６８】
ここで、簡易情報は、図３に示すように呼び出し要求情報の直後に送信しても良く、呼び出し要求情報の直前に送信しても良い。また、呼び出し要求情報と簡易情報は図３のように連続して送信しても良いし、呼び出し要求情報と簡易情報の間に時間的な間隙があっても良い。但し、呼び出し要求情報と簡易情報の間の時間的な間隙の大きさ（つまり時間の差）は、下りリンクにおいて、制御局１が呼び出し情報と略々同時に簡易情報を送信できる範囲内の大きさでなければならない。つまり下りリンクにおいて、着信携帯端末１０Ｂへの呼び出し情報は、制御局１が発信携帯端末１０Ａから送られてきた呼び出し要求情報に応じて生成するものであり、また、簡易情報は、呼び出し情報と略々同時に着信携帯端末１０Ｂへ到着しなければならないものである。したがって、呼び出し要求情報と簡易情報の間の時間的な間隙が例えば大きすぎると、制御局１が簡易情報と呼び出し情報を着信携帯端末１０Ｂへ略々同時に送信できないことになる。このため、発信携帯端末１０Ａは、呼び出し要求情報と簡易情報の間の時間的な間隙の大きさを、下りリンクにおいて制御局１が呼び出し情報と略々同時に簡易情報を送信できる範囲内に収めている。
【００６９】
なお、図３の簡易情報のデータ量が多く、１つのフレーム内に収まらない場合、発信携帯端末１０Ａは、その簡易情報を複数に分割し、それら各分割された情報を複数のフレームに分けて送信することができる。また、発信携帯端末１０Ａは、１つのコード上に呼び出し要求情報と簡易情報をマルチプレックスして制御局１へ送信することも可能である。
【００７０】
図４には、発信携帯端末１０Ａが、マルチコードを用いて呼び出し要求情報と簡易情報を制御局１へ送信することにした場合のデータ構成例を示している。図４は、呼び出し要求情報にコードＡを割り当て、コードＡとは異なるコードＢを簡易情報に割り当てた例を挙げている。このように、マルチコードを用いた場合、発信携帯端末１０Ａは、それぞれ異なるコードが割り当てられた呼び出し要求情報と簡易情報を、同時に制御局１へ送ることができる。この場合、下りリンクにおいて、制御局１は、簡易情報を呼び出し情報の前に、或いは、簡易情報を呼び出し情報と略々同時に、着信携帯端末１０Ｂへ送信可能となる。なお、図４の簡易情報のデータ量が多く、１つの送信フレーム内に収まらない場合、発信携帯端末１０Ａは、その簡易情報を複数に分割し、それら各分割された情報を複数フレームに分けて送信することができる。
【００７１】
次に、図５〜図７を用い、制御局１が、個別チャネルを用い、呼び出し情報と略々同時に、簡易情報を着信携帯端末１０Ｂへ送信することにした場合のデータ構成例を説明する。
【００７２】
図５と図６には、制御局１が、呼び出し情報と簡易情報を時間多重して着信携帯端末１０Ｂへ送信する場合のデータ構成例を示している。
【００７３】
ここで、着信携帯端末１０Ｂは、前述したように呼び出し情報を受けて着信音を鳴らすようになっている。このため、制御局１は、呼び出し情報を、ある周期で定期的に送信する必要がある。したがって、この場合の制御局１は、図５に示すように、上記定期的に送信する呼び出し情報の間に、簡易情報を挿入して送信しても良いし、図６に示すように、呼び出し情報の送信前、最初に簡易情報を送信しても良い。なお、図５や図６の簡易情報のデータ量が多く、上記定期的に送信される呼び出し情報の間に収まらない場合、制御局１は、その簡易情報を複数に分割し、それら各分割された情報を、各呼び出し情報の間に分けて挿入して送信することができる。また、簡易情報のデータ量が、１つの送信フレーム内にも収まらない場合、制御局１は、上記各分割された情報を複数フレームに分けて送信することもできる。さらに、制御局１は、１つのコード上に呼び出し情報と簡易情報をマルチプレックスして着信携帯端末１０Ｂへ送信することも可能である。
【００７４】
図７には、制御局１が、マルチコードを用いて呼び出し情報と簡易情報を着信携帯端末１０Ｂへ送信することにした場合のデータ構成例を示している。図７は、呼び出し情報にコードＡを割り当て、コードＡとは異なるコードＢを簡易情報に割り当てた例を挙げている。このように、当該マルチコードを用いた場合、制御局１は、それぞれ異なるコードが割り当てられた呼び出し情報と簡易情報を、同時に着信携帯端末１０Ｂへ送ることができる。なお、図７の簡易情報のデータ量が多く、１つの送信フレーム内に収まらない場合、制御局１は、その簡易情報を複数に分割し、それら各分割された情報を複数フレームに分けて送信することができる。
【００７５】
なお、図３や図６に示されるデータ構造の呼び出し情報及び簡易情報は、共通チャンネル又は個別チャンネル、若しくはその両方に割り当てて送信しても良い。
【００７６】
［携帯端末の内部構成及びその基本動作］   次に、図８を用いて、上記携帯端末１０の内部構成及びその基本動作を説明する。なお、ディスプレイ部４１，操作入力部４４，アンテナ４３については既に述べているため、ここではそれらの説明を省略している。
【００７７】
この図８に示す携帯端末１０において、マイクロホン１６は、ユーザの通話音声等を電気信号（すなわちアナログ音声信号）に変換する。この通話音声のアナログ音声信号は、図示しないアンプにより増幅された後、ＤＳＰ（Digital Signal Processor）１８へ入力する。
【００７８】
このときのＤＳＰ１８は、当該アナログ音声信号を、所定のサンプリングレートでＡ／Ｄ（Analog／Digital）変換する。ＤＳＰ１８は、そのＡ／Ｄ変換により得られたディジタル音声データに対し、トランスポートブロック（ＴＢ：Transport Block）毎にＣＲＣ（Cyclic Redundancy Check）符号を付加し、チャネル符号化（すなわち誤り訂正符号化）及びインターリーブ処理を施す。なお、トランスポートブロックとは、物理レイヤが処理を行うデータの基本単位（ＭＡＣ(Medium Access Control）レイヤから物理レイヤにデータが転送される単位）である。さらに、ＤＳＰ１８は、上記インターリーブ処理後のビット系列に対して、チャネル推定のためのパイロットビット等のオーバーヘッドを付加した後、データ変調する。ＤＳＰ１８は、データ変調マッピングされた位相平面上の同相（In-phase）及び直交(Quadrature）成分を、それぞれ２階層の拡散符号系列で拡散する。そして、ＤＳＰ１８は、その拡散後のチップデータ系列を、自乗余弦ルートナイキストフィルタで所定帯域（５ＭＨｚ）に帯域制限した後、Ｄ／Ａ（Digital／Analog）変換によりアナログ信号に変換する。そのＤ／Ａ変換により得られたアナログ信号は、当該ＤＳＰ１８から送信部１４へ送られる。
【００７９】
送信部１４は、上記ＤＳＰ１８からのアナログ信号を直交変調し、その直交変調された中間周波数信号をさらに高周波信号（２ＧＨｚ帯のＲＦ信号）に周波数変換する。そして、送信部１４は、その高周波信号を増幅し、その増幅後の高周波信号を、送信信号としてデュープレクサ１２へ送出する。
【００８０】
デュープレクサ１２は、アンテナ共用器である。すなわち、当該デュープレクサ１２は、送信信号と受信信号で１本の前記アンテナ４３を共用し、アンテナ４３からの受信信号を受信部１３に送り、送信部１４からの送信信号をアンテナ４３へ送出する機能を備えたフィルタ回路により構成されている。
【００８１】
受信部１３は、アンテナ４３及びデュープレクサ１２を介して供給された高周波の受信信号を増幅し、その高周波の受信信号を中間周波数の信号に周波数変換し、さらに、その信号を自動利得制御により線形増幅して出力する。この受信部１３から出力された信号は、ＤＳＰ（Digital Signal Processor）１８へ入力する。
【００８２】
このときのＤＳＰ１８は、受信部１３からの信号を直交検波（Quadrature detection）し、その直交検波による同相及び直交成分のアナログ信号を所定のサンプリングレートでＡ／Ｄ変換する。ＤＳＰ１８は、そのＡ／Ｄ変換によりディジタル値に変換された同相及び直交成分を、自乗余弦ルートナイキストフィルタで帯域制限した後、受信信号の拡散符号と同一の拡散符号により逆拡散することで、伝搬遅延時間の異なる複数のマルチパス成分に時間分離する。さらに、ＤＳＰ１８は、上記時間分離した各パスのデータをコヒーレント（coherent）レイク（Rake）合成し、そのレイク合成後のデータ系列を、デインターリーブ及びチャネル復号（すなわち誤り訂正復号）した後、２値のデータ判定を行って、相手先の端末が送信してきたデータ系列を再生する。そして、ＤＳＰ１８は、その再生したデータ系列を、音声データとその他の通信データに弁別する。
【００８３】
音声データは、ＤＳＰ１８によりＤ／Ａ変換され、さらに図示しないアンプにより増幅された後、スピーカ１７へ送られる。スピーカ１７は、上記増幅されたアナログ音声信号により駆動される。これにより、通話相手先の端末からの通話音声が、当該スピーカ１７から放音されることになる。
【００８４】
また、上記ＤＳＰ１８は、上記通信データがどのようなデータであるのかを解析し、その解析結果に応じた処理を行う。例えば、上記通信データがテキストデータである場合、ＤＳＰ１８は、そのテキストデータを制御部２２に送る。このときの制御部２２は、上記テキストデータをディスプレイ部４１へ表示する。また例えば、上記通信データが圧縮された画像データである場合、ＤＳＰ１８は、その圧縮画像データを伸張した後、制御部２２に送る。このときの制御部２２は、その画像データをディスプレイ部４１へ表示する。さらに例えば、上記通信データが圧縮された音声データである場合、ＤＳＰ１８は、その圧縮音声データを伸張し、スピーカ１５或いは１７へ出力する。すなわち、上記簡易情報が文字等のテキストデータや画像データである場合、それらメッセージや画像はディスプレイ部４１の画面上に表示されることになり、簡易情報が音声データである場合、その音声はスピーカ１５或いは１７から出力されることになる。
【００８５】
その他、上記ＤＳＰ１８は、前記呼び出し情報を検出した場合、その呼び出し情報の検出に応じて、着信音信号を生成する。その着信音信号は、図示しないアンプにより増幅された後、スピーカ１５へ送られる。スピーカ１５は、上記増幅された着信音信号により駆動される。これにより、呼び出し情報に応じた着信音が、当該スピーカ１５から放音されることになる。
【００８６】
記録部２７は、フラッシュメモリなどの記憶保持動作が不要な書き換え可能なメモリからなる。この記録部２７は、それぞれユーザが登録した電話番号や電子メールアドレス、住所録、前記簡易情報等を記録している。また、記録部２７は、当該携帯端末の各種の設定値のうちでユーザが任意に設定可能な値の記録にも使用される。その他、記録部２７は、送受信した電子メール等のデータ、画像データ、音声データなど、必要に応じて様々なデータを記録可能となっている。
【００８７】
ＲＯＭ（Read Only Memory）２１は、制御部２２が各部を制御するための制御プログラムや簡易情報を扱う際の様々な信号処理を行うための簡易情報処理プログラム、各種の初期設定値、フォントデータなどを記憶している。なお、このＲＯＭ２１は、ＥＥＰＲＯＭ（Electrically Erasable and Programmable Read Only Memory）のような書き換え可能なＲＯＭであっても良い。
【００８８】
ＲＡＭ（Random Access Memory）２０は、制御部２２が各種のデータ処理を行う際の作業領域として、随時データを格納する。
【００８９】
制御部２２は、ＲＯＭ２１に格納されている制御プログラムに基づいて、各部の動作を制御すると共に、各種の演算処理を行う。また、制御部２２は、簡易情報処理プログラムに基づいて、操作入力部４４からの入力操作に応じた簡易情報の作成或いは選択、簡易情報の送受信、簡易情報のディスプレイ部４１への表示やスピーカ１５への出力等の制御、記録部２７への記録や再生などの各種処理を行う。
【００９０】
カメラ部２６は、ＣＣＤ（Charge Coupled Devise）イメージセンサやＣＭＯＳ（Complementary Metal Oxide Semiconductor）イメージセンサ等の撮像素子と、その撮像素子上に被写体等の光像を結像させる光学系とを備えたものである。当該カメラ部２６での撮影指示入力は、前記操作入力部４４上の所定のキーをレリーズボタンとして使用することで実現できる。このカメラ部２６により撮影した画像データは、ＤＳＰ１８に入力する。なお、上記画像データを受け取ったＤＳＰ１８は、その画像データを制御部２２に送る。このときの制御部２２は、上記画像データに基づく画像をディスプレイ部４１上に表示させる。またこのときのＤＳＰ１８は、上記画像データを必要に応じて圧縮し、その圧縮後の画像データを上記送信データとして処理して送信部１４に送ることも可能である。上記圧縮後の画像データは、制御部２２を介して記録部２７に記録することも可能である。
【００９１】
近距離無線通信部２４とそのアンテナ２５は、いわゆるブルートゥース（Bluetooth：登録商標）方式の無線通信を行うためのものである。なお、上記ブルートゥース方式は、複数の電子機器間でアドホックな無線ネットワーキングを実現するための方式である。このブルートゥース方式は、Bluetooth SIG（Special Interest Group）にて策定されたものであり、詳細は“Bluetooth（ＴＭ）Special InterestGroup、Bluetooth仕様書バージョン１．０”に開示されている。
【００９２】
なお、当該携帯端末１０は、上記ブルートゥース方式の無線通信により取り込んだ画像データや音声データ等を、通話相手先の携帯端末へ送信するための簡易情報として用いることが可能である。また、この携帯端末１０は、上記カメラ部２６により取り込んだ画像やマイクロホン１６により取り込んだ音声のデータを、通話相手先の携帯端末へ送信するための簡易情報として用いることも可能である。
【００９３】
［発信携帯端末における簡易情報の処理動作]   次に、図８に示した構成の発信携帯端末１０Ａでの前記簡易情報の処理動作の流れを、図９のフローチャートを参照しながら説明する。この図９のフローチャートは、発信携帯端末１０Ａの制御部２２が、ＲＯＭ２１内に記憶されている制御プログラム及び簡易情報処理プログラムに基づいて各部を動作させる際の流れを示している。また、この図９に示すフローチャートは、発信携帯端末１０Ａの電源が入った状態で開始する。なお、図９には図示していないが、発信携帯端末１０Ａの電源が切られた時点で、このフローチャートは無条件で終了する。さらに、図９には図示していないが、各処理ステップは、ユーザの指示に応じてキャンセル若しくは一つ前の処理ステップに戻ることが可能になっている。
【００９４】
先ず、発信携帯端末１０Ａの制御部２２は、ステップＳ１１の待ち受け状態となっている。この待ち受け時の制御部２２は、少なくとも、操作入力部４４からの操作信号の監視を行っている。なお、待ち受け時の制御部２２は、着呼の有無の監視等も行っているが、それら着呼の有無の監視等についての説明は省略する。
【００９５】
上記待ち受け時に、ユーザにより操作入力部４４が操作されると、制御部２２は、ステップＳ１２の処理として、その操作が電話をかけるための操作であるか、或いは他の操作であるのかを判断する。なお、上記他の操作とは、例えば電子メールの作成やその送受信のための操作など様々なものが考えられる。上記ステップＳ１２において、電話をかけるための操作でないと判断した場合（他の操作であると判断した場合）、制御部２２は、当該他の操作に応じた処理（図９では図示を省略する）を行った後、ステップＳ１１の待ち受け状態に戻る。一方、ステップＳ１２において、電話をかけるための操作であると判断した場合、制御部２２は、ステップＳ１３の処理に進む。
【００９６】
ステップＳ１３の処理に進むと、制御部２２は、ユーザによる操作入力部４４の操作が、通話のみを行うことを指示する入力操作であるか、或いは、簡易情報を付けた通話を行うことを指示する入力操作であるのかを判断する。なお、簡易情報を付けた通話の指示とは、前記発呼と略々同時に前記簡易情報を送信する通話のための指示である。
【００９７】
このステップＳ１３において、例えば、電話をかける際の一般的な操作と同様に、電話番号の入力及びその後の発信指示キーのオン操作がなされた場合、制御部２２は、通話のみの指示がユーザによりなされたと判断する。なお、上記電話番号の入力とは、「０」〜「９」の数字キーをユーザが押すことによる入力だけでなく、記録部２７に登録されている電話番号の中から所望の電話番号をユーザが選択する場合も含む。また、発信指示キーとは、一般に発呼の際にオン操作されるキーのことである。一方、例えば、操作入力部４４上の各キーのうちで簡易情報処理の開始指示用に割り当てられている所定のキーがオン操作された場合、制御部２２は、上記簡易情報を付けた通話の指示がユーザによりなされたと判断する。
【００９８】
上記ステップＳ１３で通話のみの指示がなされたと判断した場合、制御部２２は、ステップＳ２１の処理として、上記入力された電話番号に対応する着信携帯端末１０Ｂへの発呼処理を行った後、ステップＳ２２の処理に進む。
【００９９】
ステップＳ２２の処理に進むと、制御部２２は、着信携帯端末１０Ｂから通話の応答がなされたか否かの判断を行う。このステップＳ２２において通話の応答が無いと判断し、且つ、ユーザにより発呼の停止指示入力がなされると、制御部２２は、ステップＳ１１の待ち受けの処理に戻る。一方、着信携帯端末１０Ｂから通話の応答が有った場合、制御部２２は、ステップＳ２３の処理に進み、通常の通話のための制御を行う。このステップＳ２３の通話の処理中、制御部２２は、ステップＳ２４の処理として通話が終了したか否かの判断を行っており、通話が終了したならば、ステップＳ１１の待ち受けの処理に戻る。
【０１００】
一方、ステップＳ１３で前記簡易情報を付けた通話の指示がなされたと判断した場合、制御部２２は、ステップＳ１４の処理に進む。
【０１０１】
なお、ステップＳ１３において、制御部２２は、記録部２７に設定されている設定値に応じて、ステップＳ２１とステップＳ１４の何れの処理に進むのかを判断することも可能である。すなわち、この携帯端末１０は、電話をかける際に、通話のみを行うか、或いは簡易情報を付けた通話を行うのかを、ユーザが予め設定可能となっている。この場合の制御部２２は、ステップＳ１３において、上記記録部２７の設定値をサーチし、そのサーチにより得られた設定値に応じて、ステップＳ２１とステップＳ１４の何れに進むのかを決定する。また、制御部２２は、ステップＳ１３において、通話のみを行うか、或いは簡易情報を付けた通話を行うのかの指示入力をユーザに要求しても良い。この場合の制御部２２は、例えば、ディスプレイ部４１上に、通話のみを行うか、或いは簡易情報を付けた通話を行うのかを、ユーザに問うための表示を行う。そして、制御部２２は、ディスプレイ部４１上の表示に対応してユーザから入力された指示に基づいて、ステップＳ１４かステップＳ２１の何れかの処理に進む。
【０１０２】
次に、ステップＳ１４の処理へ進むと、制御部２２は、記録部２７に記録されているユーザ設定値をサーチすることで、ユーザにより所望の簡易情報を自動発信する旨の設定が行われているか否かの判断を行う。
【０１０３】
このステップＳ１４において、簡易情報を自動的に発信する旨の設定がなされていると判断した場合、制御部２２の処理はステップＳ１８に進む。このときの制御部２２は、ユーザから電話番号の入力（電話番号の選択も含む）がなされると、例えば記録部２７に記録されている自動発信用の簡易情報を読み出し、上記入力された電話番号に対応する着信携帯端末１０Ｂへの発呼と略々同時にその簡易情報を送信する。その後、制御部２２の処理はステップＳ１９へ進む。一方、ステップＳ１４において、簡易情報を自動発信する旨の設定がなされていないと判断した場合、制御部２２の処理はステップＳ１５へ進む。
【０１０４】
なお、ステップＳ１４において、制御部２２は、簡易情報の自動発信を行うか否かの指示をユーザに要求してもよい。この場合の制御部２２は、例えば、ディスプレイ部４１上に簡易情報の自動発信の許可を求める表示を行い、ユーザから発信ＯＫの指示がなされたときにステップＳ１８の処理に進み、ユーザから発信不可の指示（或いは次の処理への移行指示）がなされたときにステップＳ１５の処理に進む。
【０１０５】
ステップＳ１５へ進むと、制御部２２は、ユーザにより、複数の簡易情報の中から所望の簡易情報が選択されたか否かの判断を行う。このステップＳ１５の判断を行う際、制御部２２は、例えば、ディスプレイ部４１上に前述の図２に示した複数の簡易情報の候補が並んだ選択画面を表示させる。そして、この選択画面の中から何れかの簡易情報の選択がなされた場合、制御部２２は、ステップＳ１６の処理として、その選択された簡易情報を、着信携帯端末１０Ｂへ送信する簡易情報に決定し、ステップＳ１８の処理へ進む。このときの制御部２２は、ユーザから電話番号の入力（或いは電話番号の選択）がなされると、上記入力された電話番号に対応する着信携帯端末１０Ｂへの発呼と略々同時に、上記決定した簡易情報を送信する。その後、制御部２２の処理はステップＳ１９へ進む。
【０１０６】
また、ステップＳ１５において、例えば、図２の何れの簡易情報も選択されないか、若しくは「新規作成」の項目が選択されると、制御部２２の処理はステップＳ１７へ進む。ステップＳ１７の処理に進むと、制御部２２は、ユーザが操作入力部４４を操作して作成した簡易情報を、着信携帯端末１０Ｂへ送信する簡易情報に決定した後、ステップＳ１８の処理へ進む。このときの制御部２２は、ユーザから電話番号の入力（或いは電話番号の選択）がなされると、その電話番号の着信携帯端末１０Ｂへの発呼と略々同時に、上記作成した簡易情報を送信する。その後、制御部２２の処理はステップＳ１９へ進む。
【０１０７】
なお、ステップＳ１５において、制御部２２は、例えば図２の選択画面の表示を行う前に、簡易情報の選択と新規作成の何れを行うのかの指示をユーザに要求してもよい。この場合の制御部２２は、例えば、ディスプレイ部４１上に簡易情報の選択と新規作成の何れかをユーザに問うための表示を行い、ユーザから、選択を行う旨の指示がなされたときに例えば図２の選択画面を表示し、一方、新規作成の指示がなされたときにはステップＳ１７の処理に進む。
【０１０８】
次に、ステップＳ１９の処理に進むと、制御部１９は、着信携帯端末１０Ｂにより作成若しくは選択された簡易情報が、発呼に応じて返信されてきたか否かの判断を行う。このステップＳ１９において、簡易情報が返信されて来たと判断した場合、制御部２２は、ステップＳ２０の処理として、その簡易情報をディスプレイ部４１に表示等した後、ステップＳ２２の処理に進み、それ以降、通話の応答の有無に応じた処理を行う。また、ステップＳ１９において簡易情報が返信されてこないと判断した場合、制御部２２は、ステップＳ２２の処理に進み、それ以降、通話の応答の有無に応じた処理を行う。
【０１０９】
［着信携帯端末における簡易情報の処理動作]   次に、図８に示した構成の着信携帯端末１０Ｂでの前記簡易情報の処理動作の流れを、図１０のフローチャートを参照しながら説明する。この図１０のフローチャートは、着信携帯端末１０Ｂの制御部２２が、ＲＯＭ２１内に記憶されている制御プログラム及び簡易情報処理プログラムに基づいて各部を動作させる際の流れを示している。また、この図１０に示すフローチャートは、着信携帯端末１０Ｂの電源が入った状態で開始する。なお、図１０には図示していないが、着信携帯端末１０Ｂの電源が切られた時点で、このフローチャートは無条件で終了する。さらに、図１０には図示していないが、各処理ステップは、ユーザの指示に応じてキャンセル若しくは一つ前の処理ステップ戻ることが可能になっている。
【０１１０】
先ず、着信携帯端末１０Ｂの制御部２２は、ステップＳ３１の待ち受け状態となっている。当該待ち受け時の制御部２２は、少なくとも、着信の有無の監視を行っている。なお、待ち受け時の制御部２２は、操作入力部４４からの操作信号の監視等も行っているが、それら操作信号の監視等についての説明は省略する。また、この待ち受け時に着信があると、制御部２２は、ステップＳ３２の処理として、その着信が通話のための着呼であるのか、或いは他の着信であるのかを判断する。なお、他の着信とは、例えば電子メールの受信などが考えられる。上記ステップＳ３２において、他の着信であると判断した場合、制御部２２は、当該他の着信に応じた処理（図１０では図示を省略する）を行った後、ステップＳ３１の待ち受け状態に戻る。一方、ステップＳ３２において、通話のための着呼であると判断した場合、制御部２２は、ステップＳ３３の処理に進む。
【０１１１】
ステップＳ３３の処理に進むと、制御部２２は、上記着呼の際に簡易情報を受信したか否かの判断を行う。このステップＳ３３において、簡易情報を受信していないと判断した場合、制御部２２の処理はステップＳ３５へ進む。一方、着呼の際に簡易情報を受信したと判断した場合、制御部２２の処理はステップＳ３４へ進む。
【０１１２】
ステップＳ３４の処理に進むと、制御部２２は、上記受信した簡易情報をディスプレイ部４１に表示等した後、ステップＳ３５の処理に進む。
【０１１３】
ステップＳ３５の処理に進むと、制御部２２は、ユーザによる操作入力部４４の操作が、通話を行う（電話を受ける、着信を受ける）ことを指示する入力操作であるか否かを判断する。このステップＳ３５において、電話を受ける際の一般的な操作と同様、受話の指示キーのオン操作がなされた場合、制御部２２は、通話を行うことがユーザにより指示されたと判断し、ステップＳ４２の処理に進む。なお、受話の指示キーとは、一般に電話がかかってきた場合に、その電話に出る際にオン操作されるキーのことである。
【０１１４】
ステップＳ４２の処理に進むと、制御部２２は、通常の通話のための制御を行う。このステップＳ４２の通話の処理中、制御部２２は、ステップＳ４３の処理として通話が終了したか否かの判断を行っており、通話が終了したならば、ステップＳ３１の待ち受けの処理に戻る。
【０１１５】
一方、ステップＳ３５において、ユーザによる操作入力部４４の操作が、通話を行うことの指示以外の入力操作であると判断した場合、制御部２２の処理はステップＳ３６へ進む。
【０１１６】
なお、制御部２２は、ステップＳ３５において、記録部２７に設定されている設定値に応じて、ステップＳ３６とステップＳ４２の何れの処理に進むのかを判断することも可能である。すなわち、この携帯端末１０は、着信を受ける際に、通常の通話のみを行うか否かを、ユーザが予め設定可能となっている。この場合の制御部２２は、ステップＳ３５において、上記記録部２７の設定値をサーチし、そのサーチにより得られた設定値に応じて、ステップＳ４２とステップＳ３６の何れに進むのかを決定する。また、制御部２２は、ステップＳ３５において、通常の通話のみを行うか否かの指示を、ユーザに要求しても良い。この場合の制御部２２は、例えば、ディスプレイ部４１上に通常の通話のみ行うかをユーザに問うための表示を行う。そして、制御部２２は、ディスプレイ部４１上の表示に対応してユーザから入力された指示に基づいて、ステップＳ３６かステップＳ４２の何れかの処理に進む。
【０１１７】
次に、ステップＳ３６へ進むと、制御部３６は、ユーザによる操作入力部４４の操作が、簡易情報の返信を行うことを指示する入力操作であるか否かを判断する。ステップＳ３６において、簡易情報の返信の指示がなされたと判断した場合、制御部２２は、ステップＳ３７の処理へ進む。一方、ステップＳ３６において、簡易情報の返信を行う指示以外の操作入力、すなわち例えば保留するか若しくは電話を切ることを指示する入力操作等がなされたと判断した場合、制御部２２は、その操作指示に応じた処理（図１０では図示を省略する）を行った後、ステップＳ３１の待ち受け状態に戻る。
【０１１８】
なお、制御部２２は、ステップＳ３６において、記録部２７に設定されている設定値に応じて、ステップＳ３７へ進むか、若しくはステップＳ３１の処理に戻るかを判断することも可能である。すなわち、この携帯端末１０は、ステップＳ３５で通話を行わないと判断された際に、必ず簡易情報を返信する処理に進むか否かを、ユーザが予め設定可能となっている。この場合の制御部２２は、ステップＳ３６において、上記記録部２７の設定値をサーチし、そのサーチにより得られた設定値に応じて、ステップＳ３７とステップＳ３１の何れに進むのかを決定する。また、制御部２２は、ステップＳ３６において、簡易情報の返信を行うか否かの指示をユーザに要求しても良い。この場合の制御部２２は、例えば、ディスプレイ部４１上に、簡易情報の返信を行うか、或いは、保留するか、電話を切るのかをユーザに問うための表示を行う。そして、制御部２２は、ディスプレイ部４１上の表示に対応してユーザから入力された指示に基づいて、ステップＳ３１に戻るか、ステップＳ３７の処理に進むかの決定を行う。
【０１１９】
次に、ステップＳ３７の処理に進むと、制御部２２は、記録部２７に記録されているユーザ設定値をサーチすることで、ユーザが所望の簡易情報を自動発信する旨の設定を行っているか否かの判断を行う。
【０１２０】
このステップＳ３７において、簡易情報を自動的に発信する旨の設定がなされていると判断した場合、制御部２２の処理はステップＳ４１に進む。このときの制御部２２は、上記記録部２７に記録されている自動発信用の簡易情報を読み出して送信する。その後、制御部２２の処理はステップＳ３１の待ち受け状態に戻る。一方、ステップＳ３７において、簡易情報を自動発信（自動返信）する旨の設定がなされていないと判断した場合、制御部２２の処理はステップＳ３８へ進む。
【０１２１】
なお、制御部２２は、ステップＳ３７において、簡易情報の自動発信（自動返信）を行うか否かの指示をユーザに要求してもよい。この場合の制御部２２は、例えば、ディスプレイ部４１上に簡易情報の自動発信の許可を求める表示を行い、ユーザから発信ＯＫの指示がなされたときにステップＳ４１の処理に進み、ユーザから発信不可の指示（或いは次の処理への移行指示）がなされたときにステップＳ３８の処理に進む。
【０１２２】
ステップＳ３８へ進むと、制御部２２は、ユーザにより、複数の簡易情報の中から所望の簡易情報が選択されたか否かの判断を行う。このステップＳ３８の判断を行う際、制御部２２は、例えば、ディスプレイ部４１上に前述の図２に示した複数の簡易情報の候補が並んだ選択画面を表示させる。そして、この選択画面の中から何れかの簡易情報の選択がなされた場合、制御部２２は、ステップＳ３９の処理として、その選択された簡易情報を、発信携帯端末１０Ａへ返信する簡易情報に決定した後、ステップＳ４１の処理へ進む。このときの制御部２２は、上記決定した簡易情報を発信携帯端末１０Ａに送信する。その後、制御部２２の処理はステップＳ３１の待ち受け状態へ戻る。
【０１２３】
また、ステップＳ３８において、例えば、図２の何れの簡易情報も選択されないか、若しくは「新規作成」の項目が選択されると、制御部２２の処理はステップＳ４０へ進む。ステップＳ４０の処理に進むと、制御部２２は、ユーザが操作入力部４４を操作して作成した簡易情報を、発信携帯端末１０Ａへ送信する簡易情報に決定した後、ステップＳ４１の処理へ進む。このときの制御部２２は、上記作成した簡易情報を発信携帯端末１０Ａへ送信する。その後、制御部２２の処理はステップＳ３１の待ち受け状態へ戻る。
【０１２４】
なお、制御部２２は、ステップＳ３８において、例えば図２の選択画面の表示を行う前に、簡易情報の選択と新規作成の何れを行うのかの指示をユーザに要求してもよい。この場合の制御部２２は、例えば、ディスプレイ部４１上に簡易情報の選択と新規作成の何れかをユーザに問うための表示を行い、ユーザから、選択を行う旨の指示がなされたときに例えば図２の選択画面を表示し、一方、新規作成の指示がなされたときにはステップＳ４０の処理に進む。また、制御部２２は、ステップＳ４１において、ユーザにより操作入力部４４上の所定のキーが操作された時に、上記簡易情報の発信を行うようにしても良い。
【０１２５】
［実施の形態のまとめ］   以上説明したように、本実施の形態の通信システム及び各携帯端末によれば、発信携帯端末１０Ａは、発呼と略々同時に任意の簡易情報を発信することが可能であり、一方、着信携帯端末１０Ｂは、発信携帯端末１０Ａが送信した簡易情報を、着呼と略々同時に受信して表示等することが可能となされている。このため、発信側のユーザは通話の目的や重要度を着信側のユーザに知らせることができる。一方、着信側のユーザは、発信側のユーザからの通話の目的や重要度を着呼と同時に知ることができ、したがって、その着信を受けるか、保留するか、或いは切るのかを、簡易情報を元に適切且つ正確に判断可能となっている。
【０１２６】
また、本実施の形態によれば、着信携帯端末１０Ｂは、着呼に対して任意の簡易情報を返信可能であり、一方、発信携帯端末１０Ａは、着信携帯端末１０Ｂが返信してきた簡易情報を受信して表示等することが可能となされている。このため、着信側のユーザは、例えばその電話に出られない状況にある場合にその理由等を発信側のユーザに知らせることが可能となる。
【０１２７】
さらに、本実施の形態によれば、送受信された簡易情報は、任意に登録（記録）可能となっており、したがって、例えば通話相手先の電話番号やアドレス登録の際に、新規に簡易情報を作成する手間を省くことが可能となっている。
【０１２８】
なお、上述した実施の形態の説明は、本発明の一例である。このため、本発明は上述した実施の形態に限定されることなく、本発明に係る技術的思想を逸脱しない範囲であれば、設計等に応じて種々の変更が可能であることはもちろんである。
【０１２９】
例えば、本発明は、携帯電話システムの他に、有線の一般回線システムやテレビ電話システム、それらと携帯電話システムとの間の通信などに適用することも可能である。
【０１３０】
また、簡易情報の送受信サービスは、例えば月額固定の課金や、送信或いは受信量（或いは回数）に応じた従量制での課金として提供することも可能である。
【０１３１】
さらに、本発明は、基地局２や制御局１を介さずに、例えば、前記ブルートゥース方式の近距離無線通信部２４を用いて携帯端末１０同士の間で通話を行う場合にも適用可能である。
【図面の簡単な説明】
【０１３２】
【図１】通信システムの一構成例を示す図である。
【図２】簡易情報の選択を行う場合の選択画面の一例を示す図である。
【図３】発信携帯端末が、呼び出し要求情報と簡易情報を時間多重して制御局へ送信する場合のデータ構成例を示す図である。
【図４】発信携帯端末が、マルチコードを用いて呼び出し要求情報と簡易情報を制御局へ送信することにした場合のデータ構成例を示す図である。
【図５】制御局が、呼び出し情報と簡易情報を時間多重して着信携帯端末へ送信する場合のデータ構成例であり、定期的に送信する呼び出し情報の間に、簡易情報を挿入して送信する例を示す図である。
【図６】制御局が、呼び出し情報と簡易情報を時間多重して着信携帯端末へ送信する場合のデータ構成例であり、呼び出し情報の送信前の最初に簡易情報を送信する例を示す図である。
【図７】制御局が、マルチコードを用いて呼び出し情報と簡易情報を着信携帯端末へ送信することにした場合のデータ構成例を示す図である。
【図８】携帯端末の内部構成を示すブロック図である。
【図９】発信携帯端末での簡易情報の処理動作の流れを示すフローチャートである。
【図１０】着信携帯端末での簡易情報の処理動作の流れを示すフローチャートである。
【符号の説明】
【０１３３】
１…制御局、２…基地局、１０…携帯電話機（携帯端末）、１２…デュープレクサ、１３…受信部、１４…送信部、１５，１７…スピーカ、１６…マイクロホン、１８…ＤＳＰ、２０…ＲＡＭ、２１…ＲＯＭ、２２…制御部、２４…近距離無線通信部、２７…記録部、４１…ディスプレイ部、４２…カーソル、４３，２５…アンテナ、４４…操作入力部、４６…ダイアル、４７…キー
【図１】
0004492884.tif 000002
【図２】
0004492884.tif 000003
【図３】
0004492884.tif 000004
【図４】
0004492884.tif 000005
【図５】
0004492884.tif 000006
【図６】
0004492884.tif 000007
【図７】
0004492884.tif 000008
【図８】
0004492884.tif 000009
【図９】
0004492884.tif 000010
【図１０】
0004492884.tif 000011